(57)【特許請求の範囲】
【請求項１】
突出したモータ軸を持つモータと、前記モータ軸の突出部分が挿嵌した軸孔並びにこの軸孔の周りのディスク孔嵌合用央部に形成された円環状の磁石収納用凹部を持つ回転テーブルとを有し、前記磁石収納用凹部に前記回転テーブル上に載る情報記憶ディスクをクランプするための円環状の永久磁石を収めて成り、前記ディスク孔嵌合用央部は円周方向に間隔をおいて形成されたバネ揺動空間に付随する複数のバネ座部を有し、前記バネ座部に、央部円環状板に一体的に連結されており、先端側が前記ディスク孔嵌合用央部の外周面から径方向外側へ僅かにはみ出た複数の磁性材の芯出し用板バネを設けて成り、前記情報記憶ディスクのディスク孔が前記ディスク孔嵌合用央部に嵌る際に、前記芯出し用板バネの先端側がそのディスク孔の内周面に弾接して径方向外側へ押圧する回転テーブル装置において、
前記央部円環状板は、前記磁石収納用凹部内に収めた円環状のバックヨークの上面と前記永久磁石の下面との間に挟まれていることを特徴とする回転テーブル装置。
【請求項２】
請求項１に記載の回転テーブル装置において、前記芯出し用板バネの先端側は、前記ディスク孔の内周面に面接触する垂下片部であることを特徴とする回転テーブル装置。
【請求項３】
請求項１又は請求項２に記載の回転テーブル装置において、前記芯出し用板バネの撓曲点が前記バネ座部の外側角部と前記ディスク孔嵌合用央部の外周面の上テーパー面との間にあることを特徴とする回転テーブル装置。
【発明の詳細な説明】
【０００１】
【発明の属する技術分野】
本発明は、ＭＤＤ等の情報記憶ディスクを回転駆動するための回転テーブル装置に関し、特に、回転テーブル上の情報記憶ディスクに対する調芯機構の改良に関する。
【０００２】
【従来の技術】
特開２０００−１１３５４４号公報や特開２０００−２５１３６１号公報に開示された回転テーブル装置は、図４及び図５に示すように、突出したモータ軸１ａを持つモータ１と、モータ軸１ａの突出部分が挿嵌した軸孔２ａ並びにこの軸孔２ａの周りのディスク孔嵌合用央部２ｂに形成された磁石収納用凹部２ｃを持つ樹脂製回転テーブル２とを有し、磁石収納用凹部２ｃに回転テーブル２上に載る情報記憶ディスクをクランプするための永久磁石２ｄを収めて成る。この回転テーブル装置のディスク調芯機構は、樹脂製回転テーブルのディスク孔嵌合用央部２ｂの外周面側で周方向等間隔に形成された複数個の調芯爪Ｋと、薄肉部のディスク載置部（フランジ部）２ｅの裏面側で調芯爪Ｆに上方へ弾発力を付加する下支え用の板バネＦとから成る。調芯爪Ｋは、ディスク孔嵌合用央部２ｂとディスク載置部２ｅとに跨る平面視でコ字状のスリットＳで画成された弾性舌片部Ｋ１と、弾性舌片部Ｋ１の内端上面に起立した爪部Ｋ２となら成り、弾性舌片部Ｋ１の樹脂弾性による撓みによって爪部Ｋ２が軸心方向に揺動可能となっている。板バネＦで調芯爪Ｋを上方へ弾発する理由は、高湿環境下では樹脂製の調芯爪Ｋが水分を吸収して弾性を失うクリープ現象等を生じる虞れがあるため、弾性舌片部Ｋ１の樹脂弾性力を軽減できるからである。
【０００３】
【発明が解決しようとする課題】
しかしながら、上記の樹脂製の調芯爪Ｋ及び板バネＦを用いたディスク調芯機構にあっては、次のような問題点があった。
▲１▼  調芯爪Ｋは、結局のところ、板バネＦで弾発的に下支えされているため、回転テーブル２と一体化してディスク孔の内周面に弾接して径方向外側へ押圧する押圧部材としての意義だけを持つことになるが、この調芯爪Ｋを回転テーブル２に成形するためには、金型構造が複雑化し、金型費のコスト高を招く。
▲２▼  弾発補助用の板バネＦは、回転テーブル２の軸孔２ａをモータ軸１ａに挿嵌する前に、回転テーブル２の軸孔２ａの裏面側に接着又は溶着して取り付けなければならず、煩雑であるばかりか、取り付け精度のバラツキや回転テーブル２の軸孔２ａをモータ軸１ａに挿嵌した際に生じる圧入歪みなどより、弾発補助力にバラツキを生じるため、板バネＦの取り付け作業では厳格さが要求され、作業効率の低下を招く。
【０００４】
そこで、上記問題点に鑑み、本発明の第１の課題は、樹脂製の調芯爪を用いずに済み、金型構造の簡略化を図ることができるディスク調芯機構を有する回転テーブル装置を提供することにある。
【０００５】
本発明の第２の課題は、ディスク調芯機構で弾発力を付与する板バネを、回転テーブルの軸孔をモータ軸に挿嵌した後でも取り付けることができる回転テーブル装置を提供することにある。
【０００６】
【課題を解決するための手段】
本発明では、ディスク調芯機構での弾発力を付与する板バネを回転テーブルの上側に設ける点に着眼した。即ち、本発明に係る回転テーブル装置は、突出したモータ軸を持つモータと、モータ軸の突出部分が挿嵌した軸孔並びにこの軸孔の周りのディスク孔嵌合用央部に形成された円環状の磁石収納用凹部を持つ回転テーブルとを有し、磁石収納用凹部に回転テーブル上に載る情報記憶ディスクをクランプするための円環状の永久磁石を収めて成る。そして、本発明では、ディスク孔嵌合用央部は円周方向に間隔をおいて形成されたバネ揺動空間に付随する複数のバネ座部を有し、バネ座部に、央部円環状板に一体的に連結されており、先端側がディスク孔嵌合用央部の外周面から径方向外側へ僅かにはみ出た複数の磁性材の芯出し用板バネを設けて成り、情報記憶ディスクのディスク孔がディスク孔嵌合用央部に嵌る際に、芯出し用板バネの先端側がそのディスク孔の内周面に弾接して径方向外側へ押圧するものであって、央部円環状板は、磁石収納用凹部内に収めた円環状のバックヨークの上面と永久磁石の下面との間に挟まれていることを特徴とする。
【０００７】
このような構成により、樹脂製の調芯爪を用いていないため、クリープ現象等の問題がないばかりか、金型構造の簡略化を図ることができ、金型費の低コスト化を実現できる。また、バネ揺動空間に付随するバネ座部に芯出し用板バネが設けられているため、回転テーブルの軸孔をモータ軸に挿嵌した後でも芯出し用板バネを取り付けることができるので、組み付け作業効率の向上を図ることができる。
【００１２】
芯出し用板バネの先端側はディスク孔の内周面に面接触する垂下片部としても良い。また、芯出し用板バネの撓曲点はバネ座部の外側角部とディスク孔嵌合用央部の外周面の上テーパー面との間にあることが望ましい。芯出し用板バネの撓曲点をディスク孔の内周面に接触する先端側から比較的遠くに離すことができるため、芯出し用板バネの撓曲に伴う先端側の円弧を大きくでき、ディスク孔の内周面を径方向外側寄りに押し付けることができる。
【００１３】
【発明の実施の形態】
次に、本発明の実施形態を添付図面に基づいて説明する。図１（Ａ）は本発明の実施例に係る回転テーブル装置を示す平面図、図１（Ｂ）は図１（Ａ）中のＢ−Ｂ線に沿って切断した状態を示す縦断面図である。図２は同回転テーブル装置のクランプ機構及びディスク調芯機構を拡大して示す部分断面図である。
【００１４】
本例の回転テーブル装置は、プレーヤ本体側のシャーシ（図示せず）に取り付けられる印刷配線板（ベース）１１に有底筒状の軸受ハウジング（コア押さえ）１２を持つスピンドルモータ（ブラシレスモータ）１０と、そのアウターロータの倒立カップ状ヨーク１３の頂面に裏面側がカシメ固定されて軸孔２０ａにモータ軸１０ａの突出部分が圧入固定された樹脂製の回転テーブル２０とを有する。
【００１５】
回転テーブル２０は、軸孔２０ａの周りのディスク孔嵌合用央部２１の中央に形成された磁石収納用凹部２１ａと、この磁石収納用凹部２１ａの底面に接着固定された円環状のバックヨーク２２と、このバックヨーク２２の上に磁気吸着で重なるように磁石収納用凹部２２内に収容した円環状永久磁石２３と、薄肉部のディスク載置部（フランジ）２４上の外周に貼着した円環状のクッション材２４ａとを有する。バックヨーク２２はディスク孔嵌合用央部２１の上に被さるディスク押さえ（図示せず）内の磁性材を貫く円環状永久磁石２３の磁束密度を高めてクランプ吸着力を増強するものである。モータ軸１０ａの上端側にはバックヨーク２２の央孔が嵌っている。ディスク孔嵌合用央部２１ｂの輪郭は頂面と外周面２１ｂとの間に上テーパ面２１ｃと下テーパ面２１ｄとを有している。
【００１６】
本例のディスク調芯機構では、ディスク孔嵌合用央部２１は円周方向に等間隔をおいて形成された欠損部としてのバネ揺動空間２５ａの付随する５つのバネ座部２５を有している。各バネ座部２５には、先端側がディスク孔嵌合用央部２１の外周面２１ｂから径方向外側へ僅かにはみ出た芯出し用板バネ２６が設けられている。５つの芯出し用板バネ２５は、図３に示す如く、央部円環状板２７に星形状に連結されて成る燐青銅又はステンレスなどの磁性材の一体成形品である。各芯出し用板バネ２６は、央部円環状板２７の外周端から径方向外側にはみ出してから起立した起立片部２６ａと、起立片部２６ａから径方向外側に屈曲した頂上片部２６ｂと、頂上片部２６ｂから斜め下方に延びた傾斜片部２６ｃと、傾斜片部２６ｃから略真下に折れ曲がった垂下片部２６ｄとから成る。央部円環状板２７はバックヨーク２２と永久磁石２３とに挟まれており、央部円環状板２７の央孔２７ａがモータ軸１０ａに嵌っている。このため、芯出し用板バネ２６の起立片部２６ａは永久磁石２３の外周面と磁石収納用凹部２１ａの外側内面との間に挟まれている。また、頂上片部２６ｂはバネ座部２の頂面に重なっているため、起立片部２６ａと頂上片部２６ｂとが基端側の片持ち支持端となっている。したがって、頂上片部２６ｂと傾斜片部２６ｃとの折れ線が撓曲点Ｐとなっている。この撓曲点Ｐは、バネ座部２５の外側角部Ｐ１とディスク孔嵌合用央部２１の外周面の上テーパ面２１ｃとの間にある。なお、傾斜片部２６ｃは頂上片部２６ｂよりも幅狭に形成されており、また垂下片部２６ｄは傾斜片部２６ｃよりも幅狭に形成されており、芯出し用板バネ２６は梁先端の撓み量を確保するために不平等梁となっている。
【００１７】
なお、１４はモータ軸１０ａの下端部を支持するスラスト受板、１５はモータ軸１０ａの軸受メタル、１６はステータの積層コア、１７は捲線コイル、１８はロータ磁石、１９はホール素子である。
【００１８】
このような構成においては、情報記憶ディスクのディスク孔がディスク孔嵌合用央部２１に嵌る際に、ディスク孔の内周縁がディスク孔嵌合用央部２１の上テーパ面２１ｃから下テーパ面２１ｄに当接しながら外周面２１ｂに至ると、各芯出し用板バネ２６の垂下片部２６ｄがそのディスク孔の内周面に弾接して径方向外側へ押圧するため、ディスクの調芯とチャッキングが実現される。樹脂製の調芯爪を用いていないため、クリープ現象等の問題がないばかりか、金型構造の簡略化を図ることができ、金型費の低コスト化を実現できる。また、芯出し用板バネ２６は、回転テーブル２０の軸孔２０ａをモータ軸１０ａに挿嵌した後でも、バックヨーク２２の上に重ねて永久磁石２３を収めるだけで、簡単に取り付けることができるので、組み付け作業効率の向上を図ることができる。また、モータ軸１０ａを基準としてバックヨーク２２の央孔がモータ軸１０ａの上端側に嵌っているため、バックヨーク２２が剛体スペーサとして機能し、各芯出し用板バネ２６の垂下片部２６ｄの位置決めが高精度化するので、センタリングが向上する。更に、央部円環状板２７がバックヨークの機能を兼ねるため、バックヨーク２２の薄型化や不要化を図ることもできる。そして、芯出し用板バネ２６の撓曲点Ｐはバネ座部２５の外側角部Ｐ１とディスク孔嵌合用央部２１の外周面の上テーパー面２１ｃとの間にあるため、撓曲点Ｐをディスク孔の内周面に接触する先端側から比較的遠くに離すことができるため、芯出し用板バネ２６の撓曲に伴う先端側の円弧を大きくでき、ディスク孔の内周面を径方向外側寄りに押し付けることができる。
【００１９】
なお、回転テーブル２０とモータ１０のヨーク１３とはインサート成形品でも構わない。また、芯出し用板バネ２６の垂下片部２６ｄには当て部材を付加しても構わない。
【００２０】
【発明の効果】
樹脂製の調芯爪を用いていないため、クリープ現象等の問題がないばかりか、金型構造の簡略化を図ることができ、金型費の低コスト化を実現できる。また、バネ揺動空間に付随するバネ座部に芯出し用板バネが設けられているため、回転テーブルの軸孔をモータ軸に挿嵌した後でも芯出し用板バネを取り付けることができるので、組み付け作業効率の向上を図ることができる。永久磁石を嵌め込むだけで芯出し用板バネを取り付けることができる。特段の部品の追加を招かずに済み、低コスト化を図ることができる。
【図面の簡単な説明】
【図１】（Ａ）は本発明の実施例に係る回転テーブル装置を示す平面図、（Ｂ）は（Ａ）中のＢ−Ｂ線に沿って切断した状態を示す縦断面図である。
【図２】同回転テーブル装置のクランプ機構及びディスク調芯機構を拡大して示す部分断面図である。
【図３】（Ａ）は同回転テーブル装置のディスク調芯機構に用いる板バネを示す平面図、（Ｂ）は（Ａ）中のＢ−Ｂ線に沿って切断した状態を示す切断図である。
【図４】従来の回転テーブル装置を示す平面図、（Ｂ）は（Ａ）中のＢ−Ｂ線に沿って切断した状態を示す縦断面図である。
【図５】図４に示す回転テーブル装置のクランプ機構及びディスク調芯機構を拡大して示す部分断面図である。
【符号の説明】
１０…スピンドルモータ（ブラシレスモータ）
１０ａ…モータ軸
１１…印刷配線板（ベース）
１２…軸受ハウジング（コア押さえ）
１３…アウターロータのヨーク
１４…スラスト受板
１５…軸受メタル
１６…積層コア
１７…捲線コイル
１８…ロータ磁石
１９…ホール素子
２０…回転テーブル
２０ａ…軸孔
２１…ディスク孔嵌合用央部
２１ａ…磁石収納用凹部
２１ｂ…外周面
２１ｃ…上テーパ面
２１ｄ…下テーパ面
２２…バックヨーク
２３…クランプ用永久磁石
２４…ディスク載置部（フランジ）
２４ａ…クッション材
２５…バネ座部
２５ａ…バネ揺動空間
２６…芯出し用板バネ
２６ａ…起立片部
２６ｂ…頂上片部
２６ｃ…傾斜片部
２６ｄ…垂下片部
２７…央部円環状板
Ｐ…撓曲点
Ｐ１…外側角部
【図１】
0003813485.tif 000002
【図２】
0003813485.tif 000003
【図３】
0003813485.tif 000004
【図４】
0003813485.tif 000005
【図５】
0003813485.tif 000006